(57)【要約】  本発明の一態様にかかる携帯端末装置は、筐体（１１）と、筐体（２１）と、筐体（１１、２１）を回動軸（３０）を中心に回動可能に連結する連結部（３１）とを備える携帯端末（１）と、携帯端末（１）の少なくとも一部を覆い、軸（５３）を中心に折り畳み可能なカバー（５０）と、を備え、筐体（２１）の回動軸（３０）側の端部と反対側の端部（２８）は、カバー（５０）に軸（５３）を中心に回動可能に取り付けられている。これにより、利便性を向上させることができるカバーを備えた携帯端末装置を提供することができる。
2014080545.tif 000002
【特許請求の範囲】
【請求項１】
第１の筐体と、第２の筐体と、前記第１および第２の筐体を第１の軸を中心に回動可能に連結する連結部とを備える携帯端末と、
前記携帯端末の少なくとも一部を覆い、第２の軸を中心に折り畳み可能なカバーと、を備え、
前記第２の筐体の前記第１の軸側の端部と反対側の第１の端部は、前記カバーに前記第２の軸を中心に回動可能に取り付けられている、
携帯端末装置。
【請求項２】
前記第１の端部の前記第２の軸が延びる方向の両端と前記カバーの前記第２の軸上の両端とが回動可能に取り付けられている、請求項１に記載の携帯端末装置。
【請求項３】
前記第１の端部の前記第１の軸が延びる方向の両端には凹部が形成されており、
前記カバーの前記第２の軸上の両端には、前記凹部と回動可能に係合する凸部が形成されている、
請求項２に記載の携帯端末装置。
【請求項４】
前記凹部は、前記第２の筐体の厚さ方向に延びるように形成されている、請求項３に記載の携帯端末装置。
【請求項５】
前記第２の筐体の前記第１の端部側の側面は湾曲形状を有する、請求項１乃至４のいずれか一項に記載の携帯端末装置。
【請求項６】
前記第１の筐体は第１の面に第１の表示部を備え、
前記第２の筐体は第２の面に第２の表示部を備え、
前記連結部は、前記第１の面と前記第２の面とが略同一面となる第１の状態と、前記第１の面と前記第２の面とが互いに反対方向を向いている第２の状態となるように前記第１および第２の筐体を連結している、
請求項１乃至５のいずれか一項に記載の携帯端末装置。
【請求項７】
前記カバーは、前記第２の軸を中心として一方の側に第１の領域を他方の側に第２の領域をそれぞれ備え、
前記第１の状態において、前記第２の筐体の背面は前記カバーの前記第１の領域に覆われている、
請求項６に記載の携帯端末装置。
【請求項８】
前記第２の状態において、前記カバーの前記第１の領域が前記第１の筐体の前記第１の面を覆うように、または前記カバーの前記第２の領域が前記第２の筐体の前記第２の面を覆うように配置される、請求項７に記載の携帯端末装置。
【請求項９】
前記カバーは前記第２の領域にキーボードを備える、請求項７または８に記載の携帯端末装置。
【請求項１０】
前記カバーの前記第１の領域には、前記第１の面と前記第２の面とが所定の角度を成す第３の状態において、前記第１の筐体の前記第１の軸側の端部と反対側の第２の端部を固定するための固定部が設けられている、請求項９に記載の携帯端末装置。
【請求項１１】
前記第２の筐体の前記第１の端部の前記第２の軸上には、イヤホン用端子、ストラップ取り付け用の穴、およびスタイラスペンの収容穴の少なくとも１つが設けられており、前記イヤホン用端子、前記ストラップ取り付け用の穴、および前記スタイラスペンの収容穴の少なくとも１つは前記カバーが備える凸部と前記第２の軸を中心に回動可能に係合している、請求項１乃至１０のいずれか一項に記載の携帯端末装置。
【請求項１２】
第１の筐体と、
第２の筐体と、
前記第１および第２の筐体を第１の軸を中心に回動可能に連結する連結部と、を備え、
前記第２の筐体の前記第１の軸側の端部と反対側の端部であって前記第１の軸と平行な第２の軸上にカバーを取り付けるための取り付け部が形成されている、
携帯端末。
【請求項１３】
前記取り付け部は前記第２の筐体の厚さ方向に延びるように形成された凹部である、請求項１２に記載の携帯端末。
【請求項１４】
前記第２の筐体の前記第１の軸側の端部と反対側の側面は湾曲形状を有する、請求項１２または１３に記載の携帯端末。
【請求項１５】
前記第１の筐体は第１の面に第１の表示部を備え、
前記第２の筐体は第２の面に第２の表示部を備え、
前記連結部は、前記第１の面と前記第２の面とが略同一面となる第１の状態と、前記第１の面と前記第２の面とが互いに反対方向を向いている第２の状態となるように前記第１および第２の筐体を連結している、
請求項１２乃至１４のいずれか一項に記載の携帯端末。
【請求項１６】
前記取り付け部は、イヤホン用端子、ストラップ取り付け用の穴、およびスタイラスペンの収容穴の少なくとも１つである、請求項１２乃至１５のいずれか一項に記載の携帯端末。
【請求項１７】
携帯端末を覆うためのカバーであって、
前記カバーは、第２の軸を中心に折り畳み可能に構成されており、
前記カバーの前記第２の軸上の両端には前記携帯端末に取り付けるための取り付け部が形成されている、
携帯端末用カバー。
【請求項１８】
前記カバーは、前記第２の軸を中心として一方の側に第１の領域を他方の側に第２の領域をそれぞれ備え、
前記カバーは前記第２の領域にキーボードを備える、
請求項１７に記載の携帯端末用カバー。
【請求項１９】
前記カバーの前記第１の領域には、携帯端末の端部を固定するための固定部が設けられている、請求項１８に記載の携帯端末用カバー。
【発明の詳細な説明】
【技術分野】
【０００１】
本発明は携帯端末装置、携帯端末、及び携帯端末用カバーに関する。
【背景技術】
【０００２】
近年、携帯電話やスマートフォンなどの携帯端末が普及している。特に、携帯電話においては、折り畳み式の携帯端末が広く普及している。また、スマートフォンにおいても、折り畳み可能な携帯端末が提案されている。更に、携帯端末を保護することを目的とした、携帯端末の筐体に取り付けるカバーも普及している。【０００３】
特許文献１には、トップカバーおよびベースカバーを備えたケーシングと、ディスプレイと、複数のキーキャップを備えたキーボードとを備えた折り畳み式電子装置に関する技術が開示されている。特許文献２には、スマートフォンやタブレット型コンピュータなどのような平板状携帯端末に好適なカバーに関する技術が開示されている。
【先行技術文献】
【特許文献】
【０００４】
【特許文献１】特開２００７−２４９９９２号公報
【特許文献２】特開２０１２−１２５４６６号公報
【発明の概要】
【発明が解決しようとする課題】
【０００５】
背景技術で説明したように、携帯端末の筐体にカバーを取り付けることで、筐体に傷がつくことを抑制したり、落下時の衝撃を吸収したりすることができる。【０００６】
しかしながら、２つの筐体が互いに回動軸を中心に回動する構造の携帯端末では、カバーを取り付けると回動動作の妨げになる場合があり、携帯端末を使用するユーザの利便性が低下するという問題がある。【０００７】
上記課題に鑑み本発明の目的は、折り畳み式の携帯端末であっても利便性を向上させることができるカバーを備えた携帯端末装置、携帯端末、及び携帯端末用カバーを提供することである。
【課題を解決するための手段】
【０００８】
本発明の一態様にかかる携帯端末装置は、第１の筐体と、第２の筐体と、前記第１および第２の筐体を第１の軸を中心に回動可能に連結する連結部とを備える携帯端末と、前記携帯端末の少なくとも一部を覆い、第２の軸を中心に折り畳み可能なカバーと、を備え、前記第２の筐体の前記第１の軸側の端部と反対側の第１の端部は、前記カバーに前記第２の軸を中心に回動可能に取り付けられている。【０００９】
本発明の一態様にかかる携帯端末は、第１の筐体と、第２の筐体と、前記第１および第２の筐体を第１の軸を中心に回動可能に連結する連結部と、を備え、前記第２の筐体の前記第１の軸側の端部と反対側の端部であって前記第１の軸と平行な第２の軸上にカバーを取り付けるための取り付け部が形成されている。【００１０】
本発明の一態様にかかる携帯端末用カバーは、携帯端末を覆うためのカバーであって、前記カバーは、第２の軸を中心に折り畳み可能に構成されており、前記カバーの前記第２の軸上の両端には前記携帯端末に取り付けるための取り付け部が形成されている。
【発明の効果】
【００１１】
本発明により、折り畳み式の携帯端末であっても利便性を向上させることができるカバーを備えた携帯端末装置、携帯端末、及び携帯端末用カバーを提供することができる。
【図面の簡単な説明】
【００１２】
【図１Ａ】実施の形態１にかかる携帯端末の開状態における正面図である。
【図１Ｂ】実施の形態１にかかる携帯端末の開状態における下側側面図である。
【図１Ｃ】実施の形態１にかかる携帯端末の開状態における上側側面図である。
【図２Ａ】実施の形態１にかかる携帯端末の閉状態における正面図である。
【図２Ｂ】実施の形態１にかかる携帯端末の閉状態における下側側面図である。
【図３Ａ】実施の形態１にかかる携帯端末装置の開状態における正面図である。
【図３Ｂ】実施の形態１にかかる携帯端末装置の開状態における下側側面図である。
【図３Ｃ】図３ＡのＩＩＩＣ−ＩＩＩＣにおける断面図である。
【図４Ａ】実施の形態１にかかる携帯端末装置の閉状態における正面図である。
【図４Ｂ】実施の形態１にかかる携帯端末装置の閉状態における下側側面図である。
【図５Ａ】実施の形態１にかかる携帯端末装置の閉状態における正面図である。
【図５Ｂ】実施の形態１にかかる携帯端末装置の閉状態における下側側面図である。
【図６】実施の形態１にかかる携帯端末装置の未使用時における下側側面図である。
【図７】実施の形態１にかかる携帯端末の他の態様を示す下側側面図である。
【図８Ａ】実施の形態２にかかる携帯端末装置を示す斜視図である。
【図８Ｂ】実施の形態２にかかる携帯端末装置を示す下側側面図である。
【図９】実施の形態２にかかる携帯端末装置が備えるカバーの正面図である。
【発明を実施するための形態】
【００１３】
＜実施の形態１＞
以下、図面を参照して本発明の実施の形態について説明する。
図１Ａは、本実施の形態にかかる携帯端末１の開状態における正面図である。図１Ｂは、図１Ａに示す携帯端末１の下側側面図である。図１Ｃは、図１Ａに示す携帯端末１の上側側面図である。図２Ａは、本実施の形態にかかる携帯端末１の閉状態における正面図（筐体１１側からみた図）である。図２Ｂは、図２Ａに示す携帯端末１の下側側面図である。
【００１４】
図１Ａ〜Ｃ、図２Ａ〜Ｂに示すように、本実施の形態にかかる携帯端末１は、筐体１１（第１の筐体）と、筐体２１（第２の筐体）と、筐体１１および筐体２１を回動軸３０（第１の軸）を中心に回動可能に連結する連結部３１とを備える。本実施の形態にかかる携帯端末１は、折り畳み式の携帯端末であればよく、例えばスマートフォン、タブレット型の携帯端末、携帯電話、ゲーム機、電子書籍端末などである。
【００１５】
筐体１１は、パネル１２と、表示部１３と、レシーバ１４と、を備える。パネル１２は、表示部１３を外部環境から保護するための部材である。パネル１２は、タッチパネルであってもよい。表示部１３は、例えば液晶パネルや有機ＥＬ（Electro Luminescence）パネル等である。レシーバ１４は、通話時に通話相手の音声を出力する。また、レシーバ１４は、通話時以外において、動画や音楽等の音声を出力するスピーカとして動作してもよい。
【００１６】
筐体２１は、パネル２２と、表示部２３と、カメラ２４と、を備える。パネル２２は、表示部２３を外部環境から保護するための部材である。パネル２２は、タッチパネルであってもよい。表示部２３は、例えば液晶パネルや有機ＥＬパネル等である。更に図１Ｂ、図２Ｂに示すように、筐体２１は下側側面にスピーカ２５とマイク２６とを備える。スピーカ２５は、通話時（ハンズフリー通話）において、通話相手の音声を出力する。また、スピーカ２５は、通話時以外において、音声付き動画や音楽等の音声を出力してもよい。更に、スピーカ２５は着信音を鳴動してもよい。マイク２６は、周囲の音を収音する。例えば、マイク２６は、通話時におけるユーザの声や、動画撮影時における周囲の音声等を収音する。また、図１Ｃに示すように、筐体２１は上側側面にサブマイク２７を備える。サブマイク２７は、周囲の音を収音する。具体的には、サブマイク２７は、通話時（ハンズフリー通話）におけるユーザの声や、動画撮影時における周囲の音声等を収音する。
【００１７】
また、本実施の形態にかかる携帯端末１は、筐体２１の回動軸３０と反対側の端部に、カバーを取り付けるための取り付け部４１、４２を備える。取り付け部４１、４２は、回動軸３０と平行な軸５３上に配置されている。
【００１８】
本実施の形態にかかる携帯端末１は、筐体１１の主面（パネル１２を含む面）と筐体２１の主面（パネル２２を含む面）とが成す角度が１８０°となる開状態（図１Ａ〜Ｃ）と、筐体１１の主面と筐体２１の主面とが成す角度が０°となる閉状態（図２Ａ〜Ｂ）となるように構成している。換言すると、連結部３１は、筐体１１の主面（表示部１３）と筐体２１の主面（表示部２３）とが略同一面となる開状態（第１の状態）と、筐体１１の主面（表示部１３）と筐体２１の主面（表示部２３）とが互いに反対方向を向いている閉状態（第２の状態）となるように筐体１１と筐体２１とを連結している。
【００１９】
図３Ａは、本実施の形態にかかる携帯端末装置の開状態における正面図である。図３Ｂは、本実施の形態にかかる携帯端末装置の開状態における下側側面図である。なお、本明細書では、カバー５０を備える携帯端末１を携帯端末装置と称す。
【００２０】
図３Ａに示すように、カバー５０は、携帯端末１の少なくとも一部を覆い、軸５３を中心に折り畳み可能に構成されている。更に、筐体２１の回動軸３０側の端部と反対側の端部（第１の端部）２８が、カバー５０と軸５３を中心に回動可能に取り付けられている。
【００２１】
筐体２１は、端部２８の軸５３が延びる方向の両端に取り付け部４１、４２を有する。また、カバー５０は、カバー５０の軸５３上の両端に取り付け部５１、５２を有する。そして、筐体２１の取り付け部４１とカバー５０の取り付け部５１、および筐体２１の取り付け部４２とカバー５０の取り付け部５２がそれぞれ軸５３を中心に回動可能に取り付けられている。カバー５０には、例えば衝撃吸収性や柔軟性を有する材料（例えば、樹脂材料）を用いることができる。
【００２２】
図３Ｃは、図３ＡのＩＩＩＣ−ＩＩＩＣにおける断面図である。図３Ｃに示すように、例えば筐体２１が備える取り付け部４２は凹部であり、カバー５０が備える取り付け部５２は凸部であり、取り付け部５２である凸部が取り付け部４２である凹部に軸５３を中心に回動可能に係合することで携帯端末１にカバー５０を取り付けることができる。筐体２１が備える取り付け部４１およびカバー５０が備える取り付け部５１についても同様である。なお、図３Ｃに示した例は一例であり、例えば筐体２１が備える取り付け部４２を凸部とし、カバー５０が備える取り付け部５２を凹部としてもよい。
【００２３】
また、図３Ａ、図３Ｂに示すように、カバー５０は軸５３を中心として一方の側に領域５０_１（第１の領域）を他方の側に領域５０_２（第２の領域）をそれぞれ備える。開状態の場合、表示部１３と表示部２３とが互いに並んで配置される。このとき、カバー５０の領域５０_１は平面視において筐体１２の一部および筐体２１の全体と重畳する。つまり、開状態の場合、カバー５０の領域５０_１と筐体２１の背面（パネル２２と反対側の面）とが当接し、カバー５０の領域５０_１と筐体１１の背面（パネル１２と反対側の面）とが対向している（図３Ｂ参照）。換言すると、筐体２１の背面がカバー５０の領域５０_１に覆われている。このように、開状態の場合、カバー５０は筐体２１の背面を保護することができる。
【００２４】
また、携帯端末１を開状態で使用する場合、ユーザはカバー５０を介して筐体２１の背面を押さえることができる。よって、ユーザは携帯端末１を直接押さえる場合よりもフィット感を得ることができる。また、携帯端末１から発生する熱が直接ユーザの手に伝わることを抑制することができるので、ユーザは快適に携帯端末１を使用することができる。
【００２５】
図４Ａ、図５Ａは、本実施の形態にかかる携帯端末装置の閉状態における正面図である。図４Ｂ、図５Ｂは、本実施の形態にかかる携帯端末装置の閉状態における下側側面図である。
【００２６】
閉状態の場合は、筐体１１の表示部１３と筐体２１の表示部２３とが互いに反対方向を向いている。ユーザが筐体１１を使用する場合（表示部１３をみる場合）は、図４Ａ、図４Ｂに示すように、筐体１１の表示部１３がユーザ側を向くように配置する。この場合は、カバー５０の領域５０_２が筐体２１の主面（パネル２２）を覆うように配置される。よって、筐体２１のパネル２２をカバー５０を用いて保護することができる。
【００２７】
一方、ユーザが筐体２１を使用する場合（表示部２３をみる場合）は、図５Ａ、図５Ｂに示すように、筐体２１の表示部２３がユーザ側を向くように配置する。この場合は、カバー５０の領域５０_１が筐体１１の主面（パネル１２）を覆うように配置される。よって、筐体１１のパネル１２をカバー５０を用いて保護することができる。
【００２８】
このように、携帯端末１を閉状態で使用する場合は、ユーザが筐体１２を使用する状態とユーザが筐体２２を使用する状態の２つの状態がある。そして本実施の形態では、筐体２１の取り付け部４１とカバー５０の取り付け部５１、および筐体２１の取り付け部４２とカバー５０の取り付け部５２をそれぞれ回動可能に取り付けている。よって、ユーザは筐体１２を使用する状態（図４Ａ、図４Ｂ）と筐体２２を使用する状態（図５Ａ、図５Ｂ）とを容易に切り替えることができる。
【００２９】
また、携帯端末１を閉状態で使用する場合も、ユーザはカバー５０を介して筐体１１または筐体２１の背面を押さえることができる。よって、ユーザは携帯端末１を直接押さえる場合よりもフィット感を得ることができる。また、携帯端末１から発生する熱が直接ユーザの手に伝わることを抑制することができるので、ユーザは快適に携帯端末を使用することができる。
【００３０】
図６は、携帯端末装置の未使用時における下側側面図である。図６に示すように、携帯端末１を使用しない場合や持ち運ぶ際は、携帯端末１を閉状態とする。この場合、カバー５０は取り付け部５２（軸５３に対応）を中心に折り畳まれている。このとき、筐体１１の主面（パネル１２）はカバー５０の領域５０_１で覆われ、筐体２１の主面（パネル２２）はカバー５０の領域５０_２で覆われる。よって、カバー５０を用いて携帯端末１を保護することができる。
【００３１】
背景技術で説明したように、例えば携帯端末の筐体にカバーを取り付けることで、筐体に傷がつくことを抑制したり、落下時の衝撃を吸収したりすることができる。
【００３２】
しかしながら、２つの筐体が互いに回動軸を中心に回動する構造の携帯端末では、カバーを取り付けると回動動作の妨げになる場合があり、携帯端末を使用するユーザの利便性が低下するという問題があった。
【００３３】
そこで本実施の形態では、筐体１１と、筐体２１と、筐体１１と筐体２１とを回動軸３０を中心に回動可能に連結する連結部３１と、を備える携帯端末１において、筐体２１の回動軸３０側の端部と反対側の端部２８に取り付け部４１、４２を設けている。また、カバー５０を、軸５３を中心に折り畳み可能に構成し、更にカバー５０の軸５３上に取り付け部５１、５２を設けている。そして、筐体２１の取り付け部４１とカバー５０の取り付け部５１、および筐体２１の取り付け部４２とカバー５０の取り付け部５２をそれぞれ軸５３を中心に回動可能に取り付けている。つまり、筐体２１の端部２８とカバー５０とを、軸５３を中心に回動可能に取り付けている。
【００３４】
よって、携帯端末のユーザは、開状態において図３Ａ、図３Ｂに示す状態で携帯端末を使用することができ、また閉状態において、図４Ａ、図４Ｂに示す状態で又は図５Ａ、図５Ｂに示す状態で携帯端末を使用することができる。更に携帯端末を使用していない場合は、図６に示すような状態とすることができる。したがって、このようなカバーを用いることで、折り畳み式の携帯端末にカバーを装着した場合であっても携帯端末の利便性が低下することを抑制することができる。
【００３５】
図７は、本実施の形態にかかる携帯端末の他の態様を示す下側側面図である。図７に示す携帯端末１'では、筐体２１の取り付け部４３である凹部を筐体２１の厚さ方向に延びるように形成している。取り付け部４３と反対側に形成されている取り付け部についても同様である。このように、取り付け部４３を筐体２１の厚さ方向に延びるように形成することで、カバー５０が備える取り付け部５１、５２を携帯端末１'の厚さ方向に移動させることができる。よって、携帯端末１'を図４Ａに示す状態から図５Ａに示す状態にスムーズに変位させることができる。
【００３６】
更に本実施の形態にかかる携帯端末では、筐体２１の端部２８側の側面を湾曲形状としてもよい。このように、側面を湾曲形状とすることで、携帯端末１'を図４Ａに示す状態から図５Ａに示す状態にスムーズに変位させることができる。
【００３７】
また、本実施の形態にかかる携帯端末では、筐体２１の軸５３上にイヤホン用端子、ストラップ取り付け用の穴、およびスタイラスペンの収容穴の少なくとも１つを設け、これらのうちの少なくとも１つを筐体２１の取り付け部４１、４２として用いてもよい。
【００３８】
以上で説明した本実施の形態にかかる発明により、折り畳み式の携帯端末であっても利便性を向上させることができるカバーを備えた携帯端末装置、携帯端末、及び携帯端末用カバーを提供することができる。
【００３９】
＜実施の形態２＞
次に、本発明の実施の形態２について説明する。図８Ａは、本実施の形態にかかる携帯端末装置を示す斜視図である。図８Ｂは、本実施の形態にかかる携帯端末装置を示す下側側面図である。本実施の形態にかかる携帯端末装置では、カバー５０'にキーボード５５を設けている点が、実施の形態１で説明した携帯端末装置と異なる。これ以外は、実施の形態１で説明した携帯端末装置と同様であるので、同一の構成要素には同一の符号を付し、重複した説明は省略する。
【００４０】
図８Ａ、図８Ｂに示すように、本実施の形態にかかる携帯端末装置において、カバー５０'は、領域５０_２にキーボードを備える。また、カバー５０'の領域５０_１には、携帯端末１が設けられている。携帯端末１は、筐体１１の主面と筐体２１の主面とがなす角度が角度αとなる状態（第３の状態）で、カバー５０'の領域５０_１に配置されている。カバー５０'の取り付け部５２は、筐体２１の取り付け部４２に回動可能に取り付けられている。
【００４１】
また、カバー５０'の領域５０_１は、筐体１１の回動軸３０側の端部と反対側の端部１８を固定するための固定部５６を備える。図９は、本実施の形態にかかる携帯端末装置が備えるカバーの正面図である。図９において、携帯端末１が備える筐体１１、２１の位置については点線で示している。
【００４２】
図９に示すように、筐体２１の端部２８はカバー５０'が備える取り付け部５１、５２に回動可能に固定される。また、筐体１１の端部１８は、カバー５０'が備える固定部５６_１〜５６_３を用いて固定される。なお、図９では、３つの固定部５６_１〜５６_３を備える場合を例として示したが、固定部の数は任意に決定することができる。固定部５６_１〜５６_３は、例えばカバー５０'の厚さ方向に設けられている凹部に収容するように構成してもよい。
【００４３】
キーボード５５で入力された情報は、無線または有線で携帯端末１に送信することができる。このように、キーボード５５を設けることで、携帯端末１への文字入力を容易にすることができる。
【００４４】
以上、実施の形態を参照して本願発明を説明したが、本願発明は上記によって限定されるものではない。本願発明の構成や詳細には、発明のスコープ内で当業者が理解し得る様々な変更をすることができる。
【００４５】
この出願は、２０１２年１１月２２日に出願された日本出願特願２０１２−２５６２８３を基礎とする優先権を主張し、その開示の全てをここに取り込む。
【符号の説明】
【００４６】
１  携帯端末
１１  筐体
１２  パネル
１３  表示部
１４  レシーバ
１８  端部
２１  筐体
２２  パネル
２３  表示部
２４  カメラ
２５  スピーカ
２６  マイク
２７  サブマイク
３０  回動軸
３１  連結部
４１、４２、４３  取り付け部
５０  カバー
５１、５２  取り付け部
５３  軸
５５  キーボード
【図１Ａ】
2014080545.tif 000003
【図１Ｂ】
2014080545.tif 000004
【図１Ｃ】
2014080545.tif 000005
【図２Ａ】
2014080545.tif 000006
【図２Ｂ】
2014080545.tif 000007
【図３Ａ】
2014080545.tif 000008
【図３Ｂ】
2014080545.tif 000009
【図３Ｃ】
2014080545.tif 000010
【図４Ａ】
2014080545.tif 000011
【図４Ｂ】
2014080545.tif 000012
【図５Ａ】
2014080545.tif 000013
【図５Ｂ】
2014080545.tif 000014
【図６】
2014080545.tif 000015
【図７】
2014080545.tif 000016
【図８Ａ】
2014080545.tif 000017
【図８Ｂ】
2014080545.tif 000018
【図９】
2014080545.tif 000019
【国際調査報告】
2014080545.tif 000020
2014080545.tif 000021
2014080545.tif 000022
2014080545.tif 000023